【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
コネクタと、前記コネクタに接続されたケーブルとを有し、前記コネクタおよび前記ケーブルは、差動信号を伝送するための第１導体および第２の導体を有する少なくとも１つの導体対をそれぞれ有する、コネクタ構造であって、
前記ケーブルは、第１の部分を有し、そして前記コネクタは、第２の部分を有し、前記導体対は電気接点を有し、
前記ケーブルは、前記第１の部分のコネクタ側端部で前記コネクタに締結され、前記ケーブルの前記導体対の導体は、前記第２の部分のケーブル側端部で前記コネクタの導体に締結され、
前記第１の部分と前記第２の部分との間に中間部分が形成され、
前記導体対は、前記中間部分において外部導体によって囲まれ、
前記外部導体は、前記中間部分の少なくとも一部に変形を有し、前記変形は、前記外部導体と前記導体との間の距離または前記変形をした領域で前記導体間の距離のうちの少なくとも１つを減少させ、
前記変形をした領域で前記外部導体と前記導体との間の距離はゼロであり、前記変形をした領域で前記導体の間の距離はゼロであり、
前記変形をした領域における前記外部導体の最小直径が、非変形領域における導体の直径より小さいか、または前記変形をした領域における前記外部導体の最大直径が、非変形領域における導体の２倍より小さいかのうちの少なくとも１つである、コネクタ構造。
【請求項２】
前記変形は、前記コネクタ構造のインピーダンスを設置するように構成される
請求項１に記載のコネクタ構造。
【請求項３】
前記変形をした領域において、前記変形は、前記変形をする前または前記変形をした後のうちの少なくとも１つにおいて、基準インピーダンスに対する高インピーダンスを、前記基準インピーダンスに対する低インピーダンスで補償する
請求項２に記載のコネクタ構造。
【請求項４】
前記変形が、磁気成形、圧縮、皺、または折り曲げのうちの少なくとも１つによって形成される
請求項１から３のいずれか一項に記載のコネクタ構造。
【請求項５】
前記外部導体が、前記変形をした領域の外部において、縦方向間隙を有する
請求項１から４のいずれか一項に記載のコネクタ構造。
【請求項６】
前記変形をした領域の縦方向間隙がより小さくなるか、または閉じられる
請求項１から５のいずれか一項に記載のコネクタ構造。
【請求項７】
前記変形をした部分以外の領域においてクリンプを有する
請求項１から６のいずれか一項に記載のコネクタ構造。
【請求項８】
前記変形が、前記外部導体の上側、対向する底側、または前記上側と前記底側との間の側面のうちの少なくとも１つに形成される
請求項１から７のいずれか一項に記載のコネクタ構造。
【請求項９】
前記変形がコルゲーションとして形成される
請求項１から８のいずれか一項に記載のコネクタ構造。
【請求項１０】
前記変形が平面変形として形成される
請求項１から９のいずれか一項に記載のコネクタ構造。
【請求項１１】
コネクタと前記コネクタに接続されたケーブルとを有するコネクタ構造を提供するステップであって、前記コネクタおよび前記ケーブルは、差動信号を伝送するための少なくとも１つの導体対をそれぞれ有し、前記コネクタは第１の部分を有し、前記コネクタは第２の部分を有し、前記導体対は電気接点を有し、前記ケーブルは、前記第１の部分のコネクタ側端部で前記コネクタに締結され、前記ケーブルの前記導体対の導体は、前記第２の部分のケーブル側端部で前記コネクタの導体に締結され、前記第１の部分と前記第２の部分との間に中間部分が形成され、前記導体対は、前記中間部分において外部導体によって囲まれるようにするステップと、
前記中間部分の少なくとも一部において、前記外部導体を変形させるステップと、を有し、
前記変形をした領域で前記外部導体と前記導体との間の距離はゼロであり、前記変形をした領域で前記導体の間の距離はゼロであり、
前記変形をした領域における前記外部導体の最小直径が、非変形領域における導体の直径より小さいか、または前記変形をした領域における前記外部導体の最大直径が、非変形領域における導体の２倍より小さいかのうちの少なくとも１つである、
コネクタ構造の製造方法。
【手続補正２】
【補正対象書類名】明細書
【補正対象項目名】００８６
【補正方法】変更
【補正の内容】
【００８６】
本発明は、例示された実施例、修正例、およびサブ変形例に限定されない。本発明は、個々の請求項においてそれぞれ請求される特徴の組み合わせを包含し、このような特徴は技術的に実用的である限り明細書においてそれぞれ開示され、図面にそれぞれ示される。
［項目１］
コネクタと、上記コネクタに接続されたケーブルとを有し、上記コネクタおよび上記ケーブルは、差動信号を伝送するための第１導体および第２の導体を有する少なくとも１つの導体対をそれぞれ有する、コネクタ構造であって、
上記ケーブルは、第１の部分を有し、そして上記コネクタは、第２の部分を有し、上記導体対は電気接点を有し、
上記ケーブルは、上記第１の部分のコネクタ側端部で上記コネクタに締結され、上記ケーブルの上記導体対の導体は、上記第２の部分のケーブル側端部で上記コネクタの導体に締結され、
上記第１の部分と上記第２の部分との間に中間部分が形成され、
上記導体対は、上記中間部分、特に上記第１の部分または上記第２の部分において外部導体によって囲まれ、
上記外部導体は、上記中間部分の少なくとも一部に変形を有し、上記変形は、上記外部導体と上記導体との間の距離または上記変形をした領域で上記導体間の距離のうちの少なくとも１つを減少させる、コネクタ構造。
［項目２］
上記変形は、上記コネクタ構造のインピーダンスを設置するように構成される
項目１に記載のコネクタ構造。
［項目３］
上記変形をした領域において、上記変形は、上記変形をする前または上記変形をした後のうちの少なくとも１つにおいて、基準インピーダンスに対する高インピーダンスを、上記基準インピーダンスに対する低インピーダンスで補償する
項目２に記載のコネクタ構造。
［項目４］
上記変形が、磁気成形、圧縮、皺、または折り曲げのうちの少なくとも１つによって形成される
項目１から３のいずれか一項に記載のコネクタ構造。
［項目５］
上記変形をした領域において上記外部導体と上記導体との間の距離がゼロである
項目１から４のいずれか一項に記載のコネクタ構造。
［項目６］
上記変形をした領域における上記導体間の距離がゼロである
項目１から４のいずれか一項に記載のコネクタ構造。
［項目７］
上記変形をした領域における上記外部導体の最小直径が、非変形領域における導体の直径より小さいか、または上記変形をした領域における上記外部導体の最大直径が、非変形領域における導体の２倍より小さいかのうちの少なくとも１つである
項目５または６に記載のコネクタ構造。
［項目８］
上記外部導体が、上記変形をした領域の外部において、縦方向間隙を有する
項目１から７のいずれか一項に記載のコネクタ構造。
［項目９］
上記変形をした領域の縦方向間隙がより小さくなるか、または閉じられる
項目１から８のいずれか一項に記載のコネクタ構造。
［項目１０］
上記変形をした部分以外の領域においてクリンプを有する
項目１から９のいずれか一項に記載のコネクタ構造。
［項目１１］
上記変形が、上記外部導体の上側、対向する底側、または上記上側と上記底側との間の側面のうちの少なくとも１つに形成される
項目１から１０のいずれか一項に記載のコネクタ構造。
［項目１２］
上記変形がコルゲーションとして形成される
項目１から１１のいずれか一項に記載のコネクタ構造。
［項目１３］
上記変形が平面変形として形成される
項目１から１１のいずれか一項に記載のコネクタ構造。
［項目１４］
コネクタと上記コネクタに接続されたケーブルとを有するコネクタ構造を提供するステップであって、上記コネクタおよび上記ケーブルは、差動信号を伝送するための少なくとも１つの導体対をそれぞれ有し、上記コネクタは第１の部分を有し、上記コネクタは第２の部分を有し、上記導体対は電気接点を有し、上記ケーブルは、上記第１の部分のコネクタ側端部で上記コネクタに締結され、上記ケーブルの上記導体対の導体は、上記第２の部分のケーブル側端部で上記コネクタの導体に締結され、上記第１の部分と上記第２の部分との間に中間部分が形成され、上記導体対は、上記中間部分、特に上記第１の部分または上記第２の部分のうちの少なくとも１つにおいて外部導体によって囲まれるようにするステップと、
上記中間部分の少なくとも一部において、上記外部導体を変形させるステップと、を有する、コネクタ構造の製造方法。